(57)【要約】【課題】デジタルサイネージのディスプレイに注視しているユーザに対してのみ、表示されている映像情報に対応する音声情報を聞かせるシステム及び方法を提供する。【解決手段】コンテンツ配信装置が、ネットワークを介して、映像情報をディスプレイへ送信し、ディスプレイが、映像情報を表示すると共に、再生中の映像情報のチャネル番号を、当該ディスプレイの近隣に配置された短距離無線モジュールへ出力する。携帯端末が、短距離無線モジュールとの間で、短距離無線リンクを確立した際に、短距離無線モジュールが、携帯端末へ、チャネル番号を送信する。これによって、携帯端末が、コンテンツ配信装置から配信される複数チャネルの音声情報の中で、チャネル番号に対応する音声情報のみを受信し且つ再生する。【選択図】図１
2011085865.tif 000002
【特許請求の範囲】
【請求項１】
複数チャネルの映像情報及び音声情報を配信するコンテンツ配信装置と、
前記コンテンツ配信装置からネットワークを介して受信した前記映像情報を表示するディスプレイと、
前記ディスプレイの近隣に配置され、該ディスプレイから再生中の前記映像情報のチャネル番号を取得し、該チャネル番号を短距離無線リンクを介して送信する短距離無線モジュールと、
ユーザに所持されるべき携帯端末と
を有し、
前記携帯端末は、
前記短距離無線モジュールとの間で前記短距離無線リンクを介して通信する短距離無線通信手段と、
前記短距離無線通信手段を介して、前記短距離無線モジュールから前記チャネル番号を取得するチャネル番号取得手段と、
前記コンテンツ配信装置から配信される前記複数チャネルの音声情報の中で、前記チャネル番号に対応する音声情報のみを受信し且つ再生する音声情報取得手段と
を有することを特徴とする広告情報配信システム。
【請求項２】
前記コンテンツ配信装置は、前記複数チャネルの音声情報を、放送波を介して前記携帯端末へ送信し、
前記携帯端末の前記音声情報取得手段は、前記放送波の中で、前記チャネル番号に対応する音声情報のみを受信することを特徴とする請求項１に記載の広告情報配信システム。
【請求項３】
前記コンテンツ配信装置は、前記複数チャネルの前記音声情報を、地上デジタル放送又はメディアフロー(Media Forward Link Only)放送を介して、データを繰り返し配信するデータカルーセル方式によって前記携帯端末へ送信することを特徴とする請求項２に記載の広告情報配信システム。
【請求項４】
前記携帯端末の前記音声情報取得手段は、前記短距離無線リンクによって受信した前記チャネル番号を、ネットワークを介して、前記コンテンツ配信装置へ送信し、前記コンテンツ配信装置から、前記チャネル番号に対応する音声情報を含むパケットを受信し、
前記コンテンツ配信装置は、前記携帯端末から、ネットワークを介して、前記チャネル番号を含むパケットを受信し、前記携帯端末へ、前記チャネル番号に対応する音声情報を含むパケットを送信する音声情報送信手段を有することを特徴とする請求項１に記載の広告情報配信システム。
【請求項５】
前記コンテンツ配信装置の音声情報送信手段は、前記音声情報を、電子メール又はショートメッセージを添付することによって前記携帯端末へ送信することを特徴とする請求項４に記載の広告情報配信システム。
【請求項６】
前記コンテンツ配信装置は、
前記ディスプレイ毎に付与された識別番号に対応付けて、現在配信中の前記映像情報のチャネル番号を管理する広告配信管理手段と、
配信中の前記映像情報及び音声情報に対して、広告用課金ポイントを管理すると共に、受信した前記チャネル番号を含むパケットの数に応じて、前記広告用課金ポイントを計数する課金管理手段と
を有することを特徴とする請求項１から５のいずれか１項に記載の広告情報配信システム。
【請求項７】
前記携帯端末は、ブラウジング機能を搭載した携帯電話機であって、
前記携帯電話機の表示画面に表示されたブラウザに、音声情報受信用タブが表示されており、
前記音声情報受信用タブを、ユーザが操作することによって、前記音声情報取得手段が起動することを特徴とする請求項１から６のいずれか１項に記載の広告情報配信システム。
【請求項８】
前記ディスプレイ及び前記短距離無線モジュールは、電車内に設置されており、
前記携帯端末は、前記電車内のユーザに所持されている
ことを特徴とする請求項１から７のいずれか１項に記載の広告情報配信システム。
【請求項９】
広告情報配信方法であって、
コンテンツ配信装置が、ネットワークを介して、映像情報をディスプレイへ送信する第１のステップと、
前記ディスプレイが、前記映像情報を表示すると共に、再生中の前記映像情報のチャネル番号を、当該ディスプレイの近隣に配置された短距離無線モジュールへ出力する第２のステップと、
携帯端末が、前記短距離無線モジュールとの間で、短距離無線リンクを確立する第３のステップと、
前記短距離無線モジュールが、前記携帯端末へ、前記チャネル番号を送信する第４のステップと、
前記携帯端末が、前記コンテンツ配信装置から配信される前記複数チャネルの音声情報の中で、前記チャネル番号に対応する音声情報のみを受信し且つ再生する第５のステップと
を有することを特徴とする広告情報配信方法。
【発明の詳細な説明】
【技術分野】
【０００１】
本発明は、デジタルサイネージ(Digital Signage)技術に基づく広告情報配信システム及び方法に関する。
【背景技術】
【０００２】
デジタルサイネージとは、公共の場所に設置された、例えば平面ディスプレイやプロジェクタのような電子的なディスプレイに、映像情報（動画像又は静止画像）を表示する広告媒体技術をいう。デジタルサイネージは、ディスプレイに広告用の映像情報を表示させることによって、ポスターや看板のように用いることができる。また、表示すべき映像情報は、ディスプレイの設置場所又は時刻に応じて常に更新できる。ディスプレイは、例えばテレビ受信機のようなものであって、表示すべき映像情報は、ネットワーク又は放送波を介してコンテンツ配信装置から受信する。
【０００３】
近年、電車の車内の斜め上方向に、デジタルサイネージ技術に基づくディスプレイが配備されている場合がある。これは、車内の乗客が、視線を斜め上方向へ向けることによって、様々な映像情報を視認することができるようにしたものである。車内の空間では、乗客の視線がディスプレイに向かうことが多く、そのディスプレイに表示された広告用の映像情報は、乗客に対して効果的な発信力を提供する場合がある。
【０００４】
従来、デジタルサイネージの機能を備えた自動販売機システムの技術がある（例えば特許文献１参照）。この技術によれば、自動販売機のディスプレイに、メイン番組を表示すると共に、利用者の選択指示に応じてサブ番組を表示し、その選択指示情報を利用者側の要望情報として収集することができる。これにより、情報提供者側は、利用者のニーズに応じた番組を提供することができる。
【０００５】
また、デジタルサイネージについて、ユーザが、携帯端末を用いて、サマリ情報から詳細コンテンツにアクセスし、そのアクセス監視結果に基づいてユーザに近いディスプレイに表示すべき広告情報を変更する技術がある（例えば特許文献２参照）。これにより、広告提供者側は、ユーザの関心に応じた適切な広告情報を、そのユーザの近くのディスプレイに表示することができる。
【先行技術文献】
【特許文献】
【０００６】
【特許文献１】特開２００８−１６５６０７号公報
【特許文献２】特開２００９−１２８４９８号公報
【発明の概要】
【発明が解決しようとする課題】
【０００７】
特許文献１又は２に記載された技術によれば、利用者毎に異なるニーズに対応して、デジタルサイネージのディスプレイに表示すべき映像情報を制御する。これら技術に基づくディスプレイは、例えば自動販売機のように、特定人（ディスプレイの前の一人又は数人程度）を対象として設置されるものが想定される。従って、そのディスプレイに表示される映像情報は、それらユーザに対しては、強力な広告媒体となる。
【０００８】
ここで、例えば、電車内に設置された、デジタルサイネージのディスプレイを想定する。電車内では、多数の乗客に対して、１つの映像情報のみが再生される。しかしながら、その映像情報を注視している乗客もいれば、全く視ていない乗客もいる。また、車内では、その映像情報に基づく音声情報は発声されていない。車内アナウンスを聞きづらくすると共に、乗客の全てがそのディスプレイを閲覧しているとは限らないからである。
【０００９】
そこで、本発明は、公共の場にあって、デジタルサイネージのディスプレイに注視しているユーザに対してのみ、表示されている映像情報に対応する音声情報を聞かせることができるシステム及び方法を提供することを目的とする。
【課題を解決するための手段】
【００１０】
本発明によれば、
複数チャネルの映像情報及び音声情報を配信するコンテンツ配信装置と、
コンテンツ配信装置からネットワークを介して受信した映像情報を表示するディスプレイと、
ディスプレイの近隣に配置され、該ディスプレイから再生中の映像情報のチャネル番号を取得し、該チャネル番号を短距離無線リンクを介して送信する短距離無線モジュールと、
ユーザに所持されるべき携帯端末と
を有し、
携帯端末は、
短距離無線モジュールとの間で短距離無線リンクを介して通信する短距離無線通信手段と、
短距離無線通信手段を介して、短距離無線モジュールからチャネル番号を取得するチャネル番号取得手段と、
コンテンツ配信装置から配信される複数チャネルの音声情報の中で、チャネル番号に対応する音声情報のみを受信し且つ再生する音声情報取得手段と
を有することを特徴とする。
【００１１】
本発明の広告情報配信システムにおける他の実施形態によれば、
コンテンツ配信装置は、複数チャネルの音声情報を、放送波を介して携帯端末へ送信し、
携帯端末の音声情報取得手段は、放送波の中で、チャネル番号に対応する音声情報のみを受信することも好ましい。
【００１２】
本発明の広告情報配信システムにおける他の実施形態によれば、コンテンツ配信装置は、複数チャネルの音声情報を、地上デジタル放送又はメディアフロー(Media Forward Link Only、MediaFLO（登録商標）)放送を介して、データを繰り返し配信するデータカルーセル方式によって携帯端末へ送信することも好ましい。
【００１３】
本発明の広告情報配信システムにおける他の実施形態によれば、
携帯端末の音声情報取得手段は、短距離無線リンクによって受信したチャネル番号を、ネットワークを介して、コンテンツ配信装置へ送信し、コンテンツ配信装置から、チャネル番号に対応する音声情報を含むパケットを受信し、
コンテンツ配信装置は、携帯端末から、ネットワークを介して、チャネル番号を含むパケットを受信し、携帯端末へ、チャネル番号に対応する音声情報を含むパケットを送信する音声情報送信手段を有することも好ましい。
【００１４】
本発明の広告情報配信システムにおける他の実施形態によれば、コンテンツ配信装置の音声情報送信手段は、音声情報を、電子メール又はショートメッセージを添付することによって携帯端末へ送信することも好ましい。
【００１５】
本発明の広告情報配信システムにおける他の実施形態によれば、
コンテンツ配信装置は、
ディスプレイ毎に付与された識別番号に対応付けて、現在配信中の映像情報のチャネル番号を管理する広告配信管理手段と、
配信中の映像情報及び音声情報に対して、広告用課金ポイントを管理すると共に、受信したチャネル番号を含むパケットの数に応じて、広告用課金ポイントを計数する課金管理手段と
を有することも好ましい。
【００１６】
本発明の広告情報配信システムにおける他の実施形態によれば、
携帯端末は、ブラウジング機能を搭載した携帯電話機であって、
携帯電話機の表示画面に表示されたブラウザに、音声情報受信用タブが表示されており、
音声情報受信用タブを、ユーザが操作することによって、音声情報取得手段が起動することも好ましい。
【００１７】
本発明の広告情報配信システムにおける他の実施形態によれば、ディスプレイ及び短距離無線モジュールは、電車内に設置されており、携帯端末は、電車内のユーザに所持されていることも好ましい。
【００１８】
本発明によれば、広告情報配信方法であって、
コンテンツ配信装置が、ネットワークを介して、映像情報をディスプレイへ送信する第１のステップと、
ディスプレイが、映像情報を表示すると共に、再生中の映像情報のチャネル番号を、当該ディスプレイの近隣に配置された短距離無線モジュールへ出力する第２のステップと、
携帯端末が、短距離無線モジュールとの間で、短距離無線リンクを確立する第３のステップと、
短距離無線モジュールが、携帯端末へ、チャネル番号を送信する第４のステップと、
携帯端末が、コンテンツ配信装置から配信される複数チャネルの音声情報の中で、チャネル番号に対応する音声情報のみを受信し且つ再生する第５のステップと
を有することを特徴とする。
【発明の効果】
【００１９】
本発明のシステム及び方法よれば、デジタルサイネージのディスプレイに注視しているユーザに所持された携帯端末が、その映像情報と同期する音声情報を取得することによって、そのユーザに音声情報を聞かせることができる。
【図面の簡単な説明】
【００２０】
【図１】本発明における第１のシステム構成図である。
【図２】携帯電話機と短距離無線モジュールとの間のシーケンス図である。
【図３】本発明における第２のシステム構成図である。
【図４】本発明における携帯電話機の機能構成図である。
【図５】本発明におけるコンテンツ配信装置の機能構成図である。
【発明を実施するための形態】
【００２１】
以下、本発明の実施の形態について、図面を用いて詳細に説明する。
【００２２】
図１は、本発明における第１のシステム構成図である。
【００２３】
図１によれば、携帯電話機１を所持した多くのユーザが、電車に乗車している。車内には、ユーザが注視しやすいように、斜め上方向に、デジタルサイネージ用のディスプレイ２が設定されている。ディスプレイ２は、電車内の車内ネットワークに接続されており、映像情報を受信しつつ再生する。例えば、満員電車の車内で、身動きが制限されている乗客は、斜め上方向を見上げることによって映像情報を注視することができる。このような状況下では、映像情報として、販売促進のための広告情報を表示することは、広告提供側にとって有効といえる。尚、以下では、ディスプレイ２が、電車内に設置されているものとして説明するが、勿論、その設置場所は公共の場であればよい。
【００２４】
電車の車内ネットワークは、輸送機関事業者の設備ネットワークに相互に接続される。また、設備ネットワークには、コンテンツ配信装置４が接続される。コンテンツ配信装置４は、設備ネットワーク及び車内ネットワークを介して、電車内のディスプレイ２へ、映像情報（動画像又は静止画像）を送信する。また、コンテンツ配信装置４は、その映像情報に対応する「音声情報」を、設備ネットワークを介して放送局へ送信する。放送局は、その音声情報を、地上波デジタル放送又はメディアフロー放送によって配信する。
【００２５】
本発明における携帯電話機１は、携帯電話用の通信機能に加えて、放送局から配信される地上デジタル放送波又はメディアフロー放送波を受信する。また、携帯電話機１は、放送波によって受信した「音声情報」を再生することができる。尚、以下では、携帯電話機１を代表的な携帯端末として説明するが、勿論、携帯端末、ＰＤＡ(Personal Digital Assistant)又はパーソナルコンピュータであってもよい。
【００２６】
ここで、メディアフロー放送とは、携帯電話機のような移動体に対して、映像及び音声の多チャネル放送を提供するサービスである。メディアフロー放送は、携帯電話網とは異なる放送用周波数帯域（ＵＨＦ／ＶＨＦの６ＭＨｚの周波数帯域）を用いて映像を配信する。例えば、１５チャネルのリアルタイム放送（H.264、30フレーム/秒、QVGA画像）、１０チャネルのリアルタイム音楽放送（AAC+形式）及び４０チャネルの蓄積型放送を提供する。
【００２７】
図１によれば、本発明のシステムとして、ディスプレイ２に短距離無線モジュール３が近接配置されている。ディスプレイ２は、短距離無線モジュール３に接続されており、現時点で再生中の放送コンテンツのチャネル番号を、短距離無線モジュール３へ出力する。
【００２８】
携帯電話機１は、短距離無線モジュール３との間で、短距離無線リンクを確立する。そして、短距離無線モジュール３は、ディスプレイ２から入力されたチャネル番号を、携帯電話機１へ送信する。携帯電話機１は、受信したチャネル番号の放送波にチューニングすることによって、その放送波の音声信号を取得することができる。
【００２９】
ここで、短距離無線リンクには、例えば、Bluetooth又はIrDA(Infrared Data Association)がある。Bluetoothとは、数ｍ程度の機器間接続に用いられる短距離無線通信技術であって、２．４５ＧＨｚ帯の電波を利用し、１Ｍｂｐｓの速度で通信をすることができる。また、IrDAとは、赤外線による光無線データ通信の規格をいう。IrDAは、赤外線を利用するため、Bluetoothよりも指向性は高いが、３０度の通信角度を有する。また、IrDAの通信速度は、Bluetoothの通信速度よりも高速で、１６Ｍｂｐｓまでの速度で通信ができる。
【００３０】
電車内のユーザは、ディスプレイ２に表示された映像情報を注視している際に、携帯電話機１を操作することができる。このとき、携帯電話機１の画面に表示されたブラウザに、音声情報受信用タブが表示されていることも好ましい。ユーザは、その音声情報受信用タブを操作することによって、短距離無線モジュール３からチャネル番号を取得する。そして、携帯電話機１は、そのチャネル番号に放送波をチューニングすることによって音声情報を取得し、その音声情報をイヤホンから再生することができる。
【００３１】
図２は、携帯電話機と短距離無線モジュールとの間のシーケンス図である。
【００３２】
図２によれば、Bluetoothを用いた場合に、チャネル番号通知するシーケンスを表している。ここでは、携帯電話機１が接続元のMasterとなり、短距離無線モジュール３が接続先のSlaveとなる。
（Ｓ２１）携帯電話機１は、ユーザの操作によって、問い合わせ要求(Inquiry)メッセージを送信する。これによって、携帯電話機１は、その周辺にあるBluetooth機器を検索する。一方で、短距離無線モジュール３は、待ち受け状態となっている。このとき、問い合わせ要求(Inquiry)メッセージを受信した短距離無線モジュール３は、ＦＨＳ(Frequency Hop Synchronization)応答を携帯電話機１へ返信する。
（Ｓ２２）次に、携帯電話機１は、呼び出し(Page)要求を短距離無線モジュール３へ送信する。これに対し、短距離無線モジュール３は、受信応答を携帯電話機１へ返信する。
（Ｓ２３）次に、携帯電話機１は、ＦＨＳ要求を短距離無線モジュール３へ送信する。これに対し、短距離無線モジュール３は、受信応答を携帯電話機１へ返信する。ＦＨＳパケットには、Bluetoothのクラス、装置ＩＤ（識別子）、クロック等の情報が含まれる。これによって、短距離無線モジュール３は、携帯電話機１の存在を認識する。
（Ｓ２４）携帯電話機１と短距離無線モジュール３との間で、Bluetoothの無線リンクが確立された後、短距離無線モジュール３は、チャネル番号を含むパケットを、携帯電話機１へ送信する。
（Ｓ２５）そして、携帯電話機１は、接続解除要求を短距離無線モジュール３へ送信する。携帯電話機１は、チャネル番号のみを受信できればよい。即ち、Bluetoothの無線リンクを維持する必要がないからである。接続解除要求を受信した短距離無線モジュール３は、受信応答を、携帯電話機１へ返信する。
【００３３】
尚、IrDAを用いた場合、携帯電話機１が、赤外線を短距離無線モジュール３へ向けて、瞬間的にリンクを確立する。そして、短距離無線モジュール３は、赤外線を介して、チャネル番号を携帯電話機１へ送信する。
【００３４】
図３は、本発明における第２のシステム構成図である。
【００３５】
図３は、図１と比較して、携帯電話機１が、短距離無線モジュール３から受信したチャネル番号を、携帯電話網を介してコンテンツ配信装置４へ送信する。これに対し、コンテンツ配信装置４は、そのチャネル番号に基づく音声信号を、携帯電話網を介して携帯電話機１へ返信する。これによって、携帯電話機１は、ディスプレイ２に再生中の映像情報に対応する音声情報を取得することができる。
【００３６】
携帯電話機１は、例えば、電子メールによって、チャネル番号を含むパケットをコンテンツ配信装置４へ送信するものであってもよい。また、携帯電話機１は、ショートメッセージのような呼接続によって、チャネル番号をコンテンツ配信装置４へ送信することも好ましい。
【００３７】
これに対し、コンテンツ配信装置４は、例えば、音声情報のファイルが添付された電子メールを、携帯電話機１へ送信するものであってもよい。コンテンツ配信装置４は、例えば、メールヘッダ中に「content-Type:multipart/mixed;boundary=”ファイル名”」と記述することによって、音声情報のファイルを添付する。
【００３８】
図４は、本発明における携帯電話機の機能構成図である。
【００３９】
携帯電話機１は、短距離無線通信部１０１と、放送波受信部１０２と、携帯電話通信部１０３と、音声信号出力部１０４と、キーパッド１０５と、ディスプレイ１０６と、チャネル番号取得部１１１と、音声情報取得部１１２とを有する。チャネル番号取得部１１１及び音声情報取得部１１２は、携帯電話機に搭載されたコンピュータを機能させるプログラムを実行することによって実現される。
【００４０】
短距離無線通信部１０１は、キーパッド１０５におけるユーザの操作によって、短距離無線モジュール３との間で、短距離無線リンクを確立する。ここで、短距離無線リンクは、例えば、Bluetooth又はIrDAである。
【００４１】
放送波受信部１０２は、地上デジタル放送波又はメディアフロー放送波を受信する。ここで、複数チャネルの音声情報の中で、音声情報取得部１１２から出力されたチャネル番号に対応する音声情報にチューニングする。多チャネル放送によれば、各チャネルは、対応するスロットによって送信される。取得された音声情報は、音声情報取得部１１２へ出力される。
【００４２】
携帯電話通信部１０３は、携帯電話網の基地局と通信する。携帯電話通信部１０３は、音声情報取得部１１２から出力されたチャネル番号を、携帯電話網を介して、コンテンツ配信装置４へ送信する。また、コンテンツ配信装置４から、携帯電話網を介して、音声情報を受信する。受信された音声情報は、音声情報取得部１１２へ出力される。
【００４３】
音声信号出力部１０４は、音声情報取得部１１２から出力された音声情報を、音声信号に変換し、ユーザが装着したヘッドセットのイヤホンへ出力する。
【００４４】
チャネル番号取得部１１１は、短距離無線通信部１０１を介して、短距離無線モジュール３から、ディスプレイ２に表示されている映像情報に対応する「チャネル番号」を受信する。チャネル番号は、音声情報取得部１１２へ出力される。
【００４５】
音声情報取得部１１２は、チャネル番号取得部１１１から出力されたチャネル番号を、放送波受信部１０２又は携帯電話通信部１０３へ出力する。これに対し、音声情報取得部１１２は、放送波受信部１０２又は携帯電話通信部１０３から、チャネル番号に対応する音声情報を取得する。音声情報取得部１１２は、取得した音声情報を音声信号出力部１０４へ出力する。
【００４６】
図５は、本発明におけるコンテンツ配信装置の機能構成図である。
【００４７】
コンテンツ配信装置４は、広告コンテンツ蓄積部４００と、映像情報送信部４０１と、放送インタフェース部４０２と、通信インタフェース部４０３と、音声情報送信部４１１と、チャネル番号受信部４１２と、広告配信管理部４１３と、課金管理部４１４とを有する。
【００４８】
広告コンテンツ蓄積部４００は、映像情報及び音声情報からなる広告コンテンツを蓄積する。広告コンテンツの映像情報は、そのチャネル番号と共に、映像情報送信部４０１へ出力される。また、広告コンテンツ蓄積部４００は、チャネル番号受信部４１２から入力されたチャネル番号に対応する音声情報を、音声情報送信部４１１へ出力する。
【００４９】
映像情報送信部４０１は、ネットワークを介して、その映像情報を、ディスプレイ２へ送信する。
【００５０】
放送インタフェース部４０２は、複数チャネルの音声情報を、チャネル番号と共に、放送局を介して携帯電話機１へ送信する。ここで、放送インタフェース部４０２は、地上デジタル放送波又はメディアフロー放送波を介してデータカルーセル方式を用いることも好ましい。
【００５１】
データカルーセル方式とは、複数のコンテンツを送信する際に、同じデータを一定周期毎に繰り返し送信するデータ送信方式をいう。データカルーセル方式は、データを多重化して、テレビ放送波に乗せる場合に用いられる。この方式により、携帯電話機１は、一定期間待機することで、キャッシュ用のメモリを搭載することなく、データを受信することができる。
【００５２】
通信インタフェース部４０３は、携帯電話網に接続されており、携帯電話機１と通信することができる。
【００５３】
チャネル番号受信部４１２は、通信インタフェース部４０３を介して、携帯電話機１からチャネル番号を受信する。受信したチャネル番号は、広告コンテンツ蓄積部４００へ出力される。
【００５４】
音声情報送信部４１１は、広告コンテンツ蓄積部４００から出力された音声情報を、放送インタフェース部４０２又は通信インタフェース部４０３を介して、携帯電話機１へ送信する。
【００５５】
広告配信管理部４１３は、ディスプレイ毎に付与された識別番号と、広告コンテンツ蓄積部４００から配信した映像情報のチャネル番号とを対応付けて管理する。これによって、ディスプレイ毎に再生中の映像情報及び音声情報を、チャネル番号によって認識することができる。
【００５６】
課金管理部４１４は、配信中の映像情報及び音声情報に対して、広告用課金ポイントを管理すると共に、受信したチャネル番号を含むパケットの数に応じて、広告用課金ポイントを計数する。これによって、ユーザからの音声情報の取得回数が多い映像情報を認識することができる。これは、ユーザの嗜好動向の把握にも役立つ。
【００５７】
ここで、メディアフロー放送波の「ＦＬＯ(Forward Link Only)」は、送信される信号が一斉同報配信であることを意味する。受信信号は、限定受信システムにより多重に暗号化されており、視聴するためには番組視聴鍵・契約鍵・サービス鍵を携帯電話網等の通信回線を通して取得する必要がある。従って、メディアフロー放送によれば、コンテンツ配信業者は、番組毎又はチャネル毎に、広告用課金ポイントを管理することができる。
【００５８】
以上、詳細に説明したように、本発明のシステム及び方法よれば、デジタルサイネージのディスプレイに注視しているユーザに所持された携帯端末が、その映像情報と同期する音声情報を取得することによって、そのユーザに音声情報を聞かせることができる。
【００５９】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６０】
１  携帯電話機
１０１  短距離無線通信部
１０２  放送波受信部
１０３  携帯電話通信部
１０４  音声信号出力部
１０５  キーパッド
１０６  ディスプレイ
１１１  チャネル番号取得部
１１２  音声情報取得部
２  ディスプレイ
３  短距離無線モジュール
４  コンテンツ配信装置
４００  広告コンテンツ蓄積部
４０１  映像情報送信部
４０２  放送インタフェース部
４０３  通信インタフェース部
４１１  音声情報送信部
４１２  チャネル番号受信部
４１３  広告配信管理部
４１４  課金管理部
【図１】
2011085865.tif 000003
【図２】
2011085865.tif 000004
【図３】
2011085865.tif 000005
【図４】
2011085865.tif 000006
【図５】
2011085865.tif 000007